(57)【要約】【課題】挿着体を介して、例えば、積み重ねた箱体同士、また、並置した箱体と箱体の上に載置したテーブル板とを強固に固定した状態で連結できる連結具を提供する。【解決手段】本発明は、上下に位置する被連結物Ｐ１，Ｐ２のそれぞれに設けた穴Ｑ１，Ｑ２に挿着して被連結物Ｐ１，Ｐ２同士を固定状態に連結する連結具であって、上下の穴Ｑ１，Ｑ２に挿入する挿着体１の周面に、複数の突片２を縦方向に設けている。また、挿着体１の中央部周面に、鍔状の係止環３を設け、挿着体１の上下両端部に、テーパー面４を設けている。さらに、挿着体１を、筒状に形成している。【選択図】          図２
2004176733.tif 000002
【特許請求の範囲】
【請求項１】
上下に位置する被連結物のそれぞれに設けた穴に挿着して被連結物同士を固定状態に連結する連結具であって、上下の穴に挿入する挿着体の周面に、複数の突片を設けたことを特徴とする連結具。
【請求項２】
突片は、挿着体の縦方向に設けられている請求項１に記載の連結具。
【請求項３】
挿着体の中央部周面に、鍔状の係止環を設けている請求項１または２に記載の連結具。
【請求項４】
挿着体の上下両端部に、テーパー面を設けている請求項１乃至３のいずれかに記載の連結具。
【請求項５】
挿着体を、筒状に形成している請求項１乃至４のいずれかに記載の連結具。
【発明の詳細な説明】
【０００１】
【発明の属する技術分野】
本発明は、例えば、積み重ねた箱体同士を固定状態に連結したり、また、並置した箱体と箱体の上に載置したテーブル板とを固定状態に連結するための連結具に関するものである。
【０００２】
【従来の技術】
従来より、積み重ねた箱体同士や、並置した箱体とテーブル板とを連結するための連結具として、種々の構造のものが提案されている。例えば、実開昭６１−７９９４２号公報・特開平６−１４１９４１号公報に示すように、箱体同士の接合面、また、箱体とテーブル板との接合面のそれぞれに所定の深さの穴を設け、この穴に棒状の連結ピンを挿着するものがある。
【０００３】
【発明が解決しようとする課題】
しかしながら、箱体同士の接合面等に設けた穴に棒状の連結ピンを挿着する従来の連結具においては、連結した箱体同士等の連結状態が弱いものとなっていた。具体的には、連結ピンが単なる棒状に形成されているため、箱体同士の接合面等に設けた穴に挿着した連結ピンが、僅かな力が加えられただけで抜けてしまう事態が生じていたのである。
【０００４】
そこで本発明は、叙上のような従来存した問題点に鑑み創出されたもので、例えば、積み重ねた箱体同士、また、並置した箱体と箱体の上に載置したテーブル板とを強固に固定した状態で連結できる連結具を提供することを目的としたものである。
【０００５】
【課題を解決するための手段】
上述した課題を達成するため、本発明は、上下に位置する被連結物のそれぞれに設けた穴に挿着して被連結物同士を固定状態に連結する連結具であって、上下の穴に挿入する挿着体の周面に、複数の突片を設けたことで、上述した課題を解決した。
【０００６】
また、突片は、挿着体の縦方向に設けられていることで、同じく上述した課題を解決した。
【０００７】
さらに、挿着体の中央部周面に、鍔状の係止環を設けていることで、同じく上述した課題を解決した。
【０００８】
また、挿着体の上下両端部に、テーパー面を設けていることで、同じく上述した課題を解決した。
【０００９】
加えて、挿着体を、筒状に形成していることで、同じく上述した課題を解決した。
【００１０】
以上のように構成された本発明に係る連結具においては、挿着体を被連結物のそれぞれに設けた穴に挿着すると、挿着体の周面が被連結物の穴の内壁に強く接すると共に、挿着体の周面に設けた複数の突片が穴の内壁に食い込んだ状態となり、被連結物同士を強固に固定した状態で連結できる。
【００１１】
また、挿着体の中央部周面に設けた鍔状の係止環は、被連結物にそれぞれ設けた穴の内部に、挿着体が必要以上に進入してしまう事態を防いでいる。
【００１２】
さらに、挿着体の上下両端部に設けたテーパー面は、被連結物にそれぞれ設けた穴に、挿着体が滑らかに進入することを可能にしている。
【００１３】
また、筒状の挿着体は、挿着体の周面外径が被連結物にそれぞれ設けた穴の内径よりも若干大きい場合であっても、挿着体の周面が内側に若干撓むことで、挿着体の進入を可能にしている。
【００１４】
【発明の実施の形態】
以下に、図面を参照して本発明の一実施の形態を説明する。本発明に係る連結具は、図１に示すように、上下に位置する被連結物Ｐ１，Ｐ２を、挿着体１を介して連結するものである。具体的には、図２に示すように、挿着体１を、被連結物Ｐ１，Ｐ２のそれぞれに設けた穴Ｑ１，Ｑ２に挿着して、被連結物Ｐ１，Ｐ２同士を固定状態に連結している。
【００１５】
挿着体１は、図３（ａ）に示すように、その周面に複数の突片２を設けている。この突片２は、挿着体１の縦方向に設けられている。また、突片２は、図３（ｂ）に示すように、挿着体１の周面において、等間隔に６本設けられている。
【００１６】
尚、突片２の数は６本に限定されることはなく、挿着体１に設ける突片２の数を必要に応じて増減させても良い。さらに、挿着体１に設ける突片２として、長さや高さの異なる突片２を混在させても良い。
【００１７】
そして、挿着体１の中央部周面には、図３（ａ）・（ｃ）に示すように、鍔状の係止環３を設けている。また、挿着体１の上下両端部には、所定角度のテーパー面４を設けている。さらに、挿着体１は、図３（ｃ）に示すように、貫通孔５を備え、全体が筒状に形成されている。この挿着体１の周面外径は、被連結物Ｐ１，Ｐ２にそれぞれ設けた穴Ｑ１，Ｑ２の内径とほぼ同一である。
【００１８】
尚、後述するように、挿着体１の周面外径を、被連結物Ｐ１，Ｐ２に設けた穴Ｑ１，Ｑ２の内径よりも若干大きく形成することも可能である。また、挿着体１は、主に合成樹脂等を素材として作製されるが、これに限定されることはなく、その他の素材を用いて挿着体１を作製しても差し支えない。
【００１９】
このように構成された挿着体１は、図１に示すように、被連結物Ｐ１，Ｐ２の底板と天板のそれぞれの四隅に設けた穴Ｑ１，Ｑ２に挿着される。被連結物Ｐ１，Ｐ２の穴Ｑ１，Ｑ２は、図２に示すように、被連結物Ｐ１，Ｐ２の接合面において、連通するように対向して設けられている。また、挿着体１は、図２に示すように、ネジ用の穴Ｑ１，Ｑ２に挿着される。このように、挿着体１をネジ用の穴Ｑ１，Ｑ２に挿着することで、被連結物Ｐ１，Ｐ２に連結用の穴Ｑ１，Ｑ２を別に設ける必要がなくなり、全体の構成をシンプルなものにすることができる。
【００２０】
尚、図２に示す挿着体１は、ネジ用の穴Ｑ１，Ｑ２に挿着されているが、これに限定されることはなく、例えば、挿着体１のみが挿着される穴Ｑ１，Ｑ２を設けても何ら差し支えない。
【００２１】
次に、以上のように構成された挿着体１を用いた被連結物Ｐ１，Ｐ２の組み付けの一例を、図１に基づいて説明する。まず、下側に位置する被連結物Ｐ２の天板の四隅に設けた穴Ｑ２に、挿着体１を押圧して押し入れる。そして、挿着体１の係止環３の下面が被連結物Ｐ２の天板に当接する位置まで、挿着体１の下部分を穴Ｑ２に押し入れる。その後、被連結物Ｐ２の上に他の被連結物Ｐ１を載せ、被連結物Ｐ１の底板の四隅に設けた穴Ｑ１に、挿着体１の上部分を押し入れる。このとき、挿着体１の周面が、被連結物Ｐ１，Ｐ２の穴Ｑ１，Ｑ２の内壁に強く接した状態となる。同時に、挿着体１の突片２が、被連結物Ｐ１，Ｐ２の穴Ｑ１，Ｑ２の内壁に食い込んだ状態となり、被連結物Ｐ１，Ｐ２の穴Ｑ１，Ｑ２に挿着した挿着体１の抜脱を阻止している。
【００２２】
そして、挿着体１の周面外径を、被連結物Ｐ１，Ｐ２の穴Ｑ１，Ｑ２の内径よりも若干大きく形成したときには、挿着体１を被連結物Ｐ１，Ｐ２の穴Ｑ１，Ｑ２に挿着した際に、挿着体１の周面が内側に若干撓んだ状態となる。そのため、挿着体１の周面が、被連結物Ｐ１，Ｐ２の穴Ｑ１，Ｑ２の内壁により強く接した状態となり、被連結物Ｐ１，Ｐ２の穴Ｑ１，Ｑ２に挿着した挿着体１の抜脱が確実に阻止される。こうして、挿着体１を介して、被連結物Ｐ１，Ｐ２同士が固定状態に連結されるのである。
【００２３】
被連結物Ｐ１，Ｐ２としては、例えば、図１に示すように、挿着体１を介して所定の箱体同士を連結するものである。また、図４（ａ）・（ｂ）に示すように、若干離して並置した箱体と、この箱体の上に載置したテーブル板とを連結しても良い。このとき、図４（ａ）に示すように、箱体の四隅に設けた穴Ｑ２のうち、それぞれ外側に位置する２つの穴Ｑ２に挿着体１の下部分を押し入れる。そして、箱体の上にテーブル板を載置し、テーブル板の四隅に設けた穴Ｑ１に、挿着体１の上部分を押し入れる。
【００２４】
尚、図４（ａ）に示す箱体は、それぞれ外側に位置する２つの穴Ｑ２に突片２を挿着しているが、これに限定されることはなく、箱体の四隅に設けた全ての穴Ｑ２に挿着体１の下部分を押し入れても差し支えない。このときは、テーブル板に計８個の穴Ｑ１を設け、この穴Ｑ１に挿着体１の上部分を押し入れる。こうして、図４（ｂ）に示すように、箱体が脚部となったテーブル体６が形成される。
【００２５】
この他、図４（ｃ）に示すように、テーブル体６（ｂ参照）を基本として、テーブル板上に３個の箱体を連結しても良い。また、図４（ｄ）に示すように、テーブル体６（ｂ参照）を基本として、左右に並置した箱体の下方にそれぞれ１個の箱体を連結し、テーブル板の左方に、仕切板を備えた箱体を連結しても良い。さらに、図４（ｅ）に示すように、テーブル体６（ｂ参照）を三段に積み重ねても良い。
【００２６】
尚、挿着体１を介して連結する被連結物Ｐ１，Ｐ２は、図に示すものに限定されず、例えば、大きさの異なる箱体や棚等を連結するものであっても良い。また、箱体は、扉や引き出し等を備えているものであっても良い。
【００２７】
さらに、本発明は、上記した実施の形態に限定されるものではなく、本発明の目的を達成できる範囲での改良・変形等は、本発明に全て包含されるものである。
【００２８】
【発明の効果】
本発明は、上下に位置する被連結物Ｐ１，Ｐ２のそれぞれに設けた穴Ｑ１，Ｑ２に挿着して被連結物Ｐ１，Ｐ２同士を連結する連結具であって、上下の穴Ｑ１，Ｑ２に挿入する挿着体１の周面に、複数の突片２を設けたことから、挿着体１を介して連結した被連結物Ｐ１，Ｐ２同士の固定状態を強固に維持できる。
【００２９】
すなわち、挿着体１を被連結物Ｐ１，Ｐ２の穴Ｑ１，Ｑ２に挿着すると、挿着体１の周面が被連結物Ｐ１，Ｐ２の穴Ｑ１，Ｑ２の内壁に強く接した状態となる。同時に、挿着体１に設けた複数の突片２が被連結物Ｐ１，Ｐ２の穴Ｑ１，Ｑ２の内壁に食い込んだ状態となり、被連結物Ｐ１，Ｐ２の穴Ｑ１，Ｑ２に挿着した挿着体１の抜脱が確実に阻止される。こうして、挿着体１を介して、被連結物Ｐ１，Ｐ２同士が固定状態に連結されるのである。
【００３０】
また、突片２は、挿着体１の縦方向に設けられているので、被連結物Ｐ１，Ｐ２の穴Ｑ１，Ｑ２に挿着体１を滑らかに押し入れることができる。
【００３１】
さらに、挿着体１の中央部周面に、鍔状の係止環３を設けているので、被連結物Ｐ１，Ｐ２の穴Ｑ１，Ｑ２の内部に、挿着体１が必要以上に進入してしまう事態を防いでいる。
【００３２】
また、挿着体１の上下両端部に、テーパー面４を設けているので、被連結物Ｐ１，Ｐ２に設けた穴Ｑ１，Ｑ２に、挿着体１が滑らかに進入する。
【００３３】
加えて、挿着体１を、筒状に形成しているので、挿着体１の周面外径を被連結物Ｐ１，Ｐ２の穴Ｑ１，Ｑ２の内径よりも若干大きく形成したときには、挿着体１を被連結物Ｐ１，Ｐ２の穴Ｑ１，Ｑ２に挿着した際に、挿着体１の周面が内側に若干撓んだ状態となる。そのため、挿着体１の周面が、被連結物Ｐ１，Ｐ２の穴Ｑ１，Ｑ２の内壁により強く接した状態となり、同時に、突片２が被連結物Ｐ１，Ｐ２の穴Ｑ１，Ｑ２の内壁に強く食い込んで、被連結物Ｐ１，Ｐ２の穴Ｑ１，Ｑ２に挿着した挿着体１の抜脱が確実に阻止される。従って、挿着体１を介して連結した被連結物Ｐ１，Ｐ２同士の固定状態を強固に維持できる。また、挿着体１を筒状に形成することで、挿着体１の肉厚を薄くしてその軽量化を図っている。
【図面の簡単な説明】
【図１】本発明に係る連結具の一実施の形態を示したもので、被連結物である箱体同士を挿着体を介して連結する状態を説明した一部拡大の分解斜視図である。
【図２】被連結物にそれぞれ設けた穴に挿着体を挿着する状態を説明した側断面図である。
【図３】突片と係止環とテーパー面を備えた挿着体の構成を示したもので、（ａ）は挿着体の正面図、（ｂ）は挿着体の平面図、（ｃ）は（ａ）のＸ−Ｘ線断面図である。
【図４】被連結物の組み付けの一例を示したもので、（ａ）は挿着体を介して並置した箱体の上にテーブル板を連結する状態を説明した分解斜視図、（ｂ）は（ａ）の完成状態で、左右の箱体が脚部となったテーブル体が構成されている状態の斜視図、（ｃ）はテーブル体を基本として３個の箱体をテーブル板上に連結した状態の斜視図、（ｄ）はテーブル体を基本として左右に並置した箱体の下方に、それぞれ１個の箱体を連結し、テーブル板の左方に、仕切板を備えた箱体を連結した状態の斜視図、（ｅ）はテーブル体を三段に積み重ねた状態の斜視図である。
【符号の説明】
Ｐ１，Ｐ２…被連結物
Ｑ１，Ｑ２…穴
１…挿着体
２…突片
３…係止環
４…テーパー面
５…貫通孔
６…テーブル体
【図１】
2004176733.tif 000003
【図２】
2004176733.tif 000004
【図３】
2004176733.tif 000005
【図４】
2004176733.tif 000006